(57)【要約】      （修正有）【課題】効率的な作動の可能なハードディスクドライブのアクチュエータアームラッチ及びハードディスクドライブを提供する。【解決手段】ベースプレート１６に回動可能に設置され、アクチュエータアーム２０のラッチ部４８と結合してアクチュエータアームをロッキングし、ラッチ部と干渉してアクチュエータアームの一方向回動を阻止する一側に形成されたフック５０を有するアーム４０と、フックに対してアームの他側に形成されたプッシャ部４４とを備え、アームの一側にラッチ部の方に突出形成され、ラッチ部と接触しながらラッチの回動量を制限するクラッシュストップ部４６を有する。【選択図】図１０
2008140542.tif 000002
【特許請求の範囲】
【請求項１】
ベースプレートに回動可能に設置され、アクチュエータアームのラッチ部と結合して前記アクチュエータアームをロッキングし、前記ラッチ部と干渉して前記アクチュエータアームの一方向回動を阻止する一側に形成されたフックを有するアームと、
前記フックに対して前記アームの他側に形成されたプッシャ部と、
を備え、
前記アームの一側に前記ラッチ部の方に突出形成され、前記ラッチ部と接触しながら前記ラッチの回動量を制限するクラッシュストップ部を有することを特徴とする、ハードディスクドライブのアクチュエータアームラッチ。
【請求項２】
前記フックの他側に金属インサートがさらに設けられたことを特徴とする、請求項１に記載のハードディスクドライブのアクチュエータアームラッチ。
【請求項３】
前記プッシャ部は前記アクチュエータアーム側に突出されていることを特徴とする、請求項１に記載のハードディスクドライブのアクチュエータアームラッチ。
【請求項４】
ベースプレートと、
前記ベースプレートに回転可能に設置され、ラッチ部を備えたアクチュエータアームと、
前記アクチュエータアームの一端に設けられたボイスコイルと、前記ボイスコイルに対向配置されたマグネットアセンブリとを備え、前記アクチュエータアームを回動させるボイスコイルモータと、
前記ベースプレートに回動可能に設置され、前記アクチュエータアームのラッチ部と結合して前記アクチュエータアームをロッキングし、前記ラッチ部と干渉して前記アクチュエータアームの一方向回動を阻止する一側に形成されたフックを有するアームと、前記フックに対して前記アームの他側に形成されたプッシャ部とを有し、前記アームの一側に前記ラッチ部の方に突出形成され、前記ラッチ部と接触しながら前記ラッチの回動量を制限するクラッシュストップ部を有するラッチと、
を備え、
前記アクチュエータアームのラッチ部が前記プッシャ部と接触しながら、前記ラッチは前記フックが前記ラッチ部をロッキングする方向に回転し、前記クラッシュストップ部が前記ラッチ部と接触すれば前記ラッチの回動が止まって、前記ラッチが前記アクチュエータアームをロッキングすることを特徴とする、ハードディスクドライブ。
【請求項５】
前記ラッチ部は第１の金属インサートを備え、
前記マグネットアセンブリに隣接設置されたマグネットを更に備え、
情報貯蔵やアクセス作業をしない時、前記マグネットが前記第１の金属インサートを引っ張って、前記アクチュエータアームをパーキング領域に位置させることを特徴とする、請求項４に記載のハードディスクドライブ。
【請求項６】
前記ラッチのフックの他側に第２の金属インサートがさらに設けられ、
前記第２の金属インサートが前記マグネットアセンブリ側に引っ張られると前記フックが前記ラッチ部と離隔される方向に前記ラッチが回転して、前記アクチュエータアームをアンロッキングすることを特徴とする、請求項４または５に記載のハードディスクドライブ。
【請求項７】
前記プッシャ部は前記アクチュエータアーム側に突出されていることを特徴とする、請求項４に記載のハードディスクドライブ。
【発明の詳細な説明】
【技術分野】
【０００１】
本発明は、ハードディスクドライブ（ＨＤＤ）分野に関する。
【背景技術】
【０００２】
ＨＤＤは、回転する磁気ディスクと磁気的に連結する複数のトランスデューサーが備えられている。トランスデューサーは、ディスクに対する磁化及び磁場の感知によりその回転するディスクに情報を記録またはその回転するディスクから情報を読取る。
【０００３】
また、トランスデューサーは、ヘッドジンバルアセンブリ（ＨＧＡ）の部品のヘッドに一体に設けられる。ＨＧＡは、一般的にドライブのベースプレートに回動自在に設けられるアクチュエータアームに取付けられる。
【０００４】
ＨＤＤのディスクの同心円状には、トラックが形成されて、上記トラックは、セクタに分割される。一般に情報（データ）は、複数のデータセクタ内に貯蔵される。
【０００５】
データセクタは、ディスクの環状のトラックに構成されており、アクチュエータアームは、ベースプレートに設けられたマグネットアセンブリと相互作用するボイスコイルを備える。
【０００６】
ボイスコイル及びマグネットアセンブリは共にボイスコイルモータを形成する。このボイスコイルモータは、上記アクチュエータアームを回動させてトランスデューサーをディスクの他の環状トラックに移動可能に作動される。
【０００７】
ＨＤＤは、一般的にノート型パソコンのように、コンピュータシステム内に備えられる。ノート型パソコンの移動により、ディスクドライブの回転加速を引き起こす場合がある。ディスクドライブの回転加速は、アクチュエータアームをディスクドライブに対して動作することにより、ディスクドライブに損傷を与える恐れがある。
【０００８】
上記アクチュエータアームを固定させて、所望しない（余計な）アームの移動を防止するために、多数のラッチが開発されたが、上記ラッチは、典型的にヘッドがディスクから離れてアンロードされる場合に、結合される。
【０００９】
図１は、アクチュエータアーム２を固定させるマグネチックラッチ１を示す。前記マグネチックラッチ１は、アーム２のボイスコイル４と相互作用するマグネットアセンブリ３に隣接している。
【００１０】
アクチュエータアーム２は、磁気的にラッチ１に引き付けられるスチールピン５を含む。スチールピン５とラッチ１との磁気的引力により、アクチュエータアーム２の位置は保たれる。
【００１１】
アクチュエータアーム２は、磁気力を克服するための十分なトルクが生じるようにボイスコイル４に電流が十分に提供された場合、ラッチ１から分離される。これはＨＤＤの付加的な電力が要求されるため、特にノート型パソコンに使用される場合、望ましくない。
【００１２】
また、マグネチックラッチ１を使用する場合は、複雑なアクチュエータの速度制御が要求されるため、ドライブの全体的なソフトウェアのプロセシングを増加させる。
【００１３】
図２〜図４に示すように、ディスクドライブが時計回り方向に、回転加速をする場合、アクチュエータアーム１１を固定する慣性ラッチ１０を示す。慣性ラッチ１０は、通常のアクチュエータアーム１１から離隔されるオープン位置に付勢されている。
【００１４】
ディスクドライブが情報の記録やアクセス作業を行わない場合、アクチュエータアーム１１は、ヘッド１２がランプ１３上にパーキングされる（とどまる）ように回転する。そして、アクチュエータアーム１１は、クラッシュストップ１４に当接することになる。
【００１５】
上記当接した状態において、ディスクドライブが時計回り方向に回転加速をすれば、アクチュエータアーム１１は、逆時計回り方向に動く。この際に、ラッチ１０は、図３に示すように、アクチュエータアーム１１のノッチ１６は、ラッチフック１５にかかり、アーム１１を固定させるまで逆時計回り方向に動く。
【００１６】
【特許文献１】特開平０４−０２６９６９号公報
【特許文献２】特開平０８−３３９６４５号公報
【特許文献３】特開平１０−１２５０１９号公報
【発明の開示】
【発明が解決しようとする課題】
【００１７】
しかしながら、図４に示されたように、ディスクドライブがこれ以上回転加速されないと、ラッチ１０は再びオープン位置に戻る。ところが、ＨＤＤが逆時計回り方向に回転加速をした場合、アクチュエータアーム１１は、時計回り方向に回転しながら、ラッチ１０を通ってディスク（図示せず）上に安着されうる。したがって、このラッチ１０タイプは、逆時計回り方向への回転加速に対してはアクチュエータアーム１１を固定できない。
【００１８】
図５〜図７は、ラッチアーム２２をアクチュエータアーム２３方向に移動させるラッチアーム２２より大きいラッチアーム２１を有する二重レバーラッチ２０を示す。ラッチアーム２２はディスクドライブが時計回り方向または逆時計回り方向に回転加速をする場合、全てアクチュエータアーム２３に結合される。
【００１９】
ディスクドライブが時計回り方向に回転すれば、ラッチアーム２１が逆時計回り方向に動き、第１ラッチピン２４が、図６に示すように、ラッチアーム２２をアクチュエータアーム２３方向に引き付ける。
【００２０】
ディスクドライブが逆時計回り方向に回転すれば、ラッチアーム２１が時計回り方向に動き、第２ラッチピン２５により、図７に示すように、ラッチアーム２２は、アクチュエータアーム２３側に押されることになる。したがって、上記二重レバーラッチ２０は、ディスクドライブの回転加速方向に関係なくアーム２３を固定させる。
【００２１】
ところが、二重レバーラッチ２０は、多数のラッチ要素を要求するので、ディスクドライブの製造工程が複雑になってコスト高となる。
【００２２】
図８に示されるように、ラッチ３０は、衝撃反動単一レバー両方向性（impact  rebound  single  lever  bi-directional）のラッチである。
【００２３】
上記ラッチ３０は、アクチュエータアーム３３から延びたフック部３２に対応して結合されうるキャッチ３１を具備する。結合時、フック３２及びキャッチ３１は、ディスクドライブが回転加速下にある時、アクチュエータアーム３３を固定させる。
【００２４】
ラッチ３０は、マグネット（図示せず）と相互作用するタブ３４を含む。このタブ３４は、マグネット側に引力を受けつつラッチ３０を、アクチュエータアーム３３から離隔してフック３２から離れるように引き付ける。
【００２５】
ディスクドライブが時計回り方向に回転加速を受けた場合、アクチュエータアーム３３とラッチ３０は逆時計回り方向に動く。フック３２とキャッチ３１とが結合される（かみ合う）前にアクチュエータアーム３３がラッチ３０を打つことになる。この先行接触により、ラッチ３０が反動されつつアクチュエータアーム３３から離れる時計回り方向に戻る。
【００２６】
ディスクドライブは、フック３２がキャッチ３１に入り込むようにラッチ３０の時計回り方向移動を制限するクラッシュストップ３５を含む。ところが、上記のように分離されたラッチ３０およびクラッシュストップ３５などを備えることによって、部品数が増え、ドライブの生産工程が複雑になりコスト高となる。
【００２７】
そこで、本発明は、上記問題点に鑑みてなされたものであり、本発明の目的は、効率的な作動の可能な、新規かつ改良されたハードディスクドライブのアクチュエータアームラッチ及びハードディスクドライブを提供することである。
【課題を解決するための手段】
【００２８】
上記課題を解決するために、本発明のある観点によれば、ベースプレートに回動可能に設置され、アクチュエータアームのラッチ部と結合してアクチュエータアームをロッキングし、ラッチ部と干渉してアクチュエータアームの一方向回動を阻止する一側に形成されたフックを有するアームと、フックに対してアームの他側に形成されたプッシャ部とを備え、アームの一側にラッチ部の方に突出形成され、ラッチ部と接触しながらラッチの回動量を制限するクラッシュストップ部を有することを特徴とするハードディスクドライブのアクチュエータアームラッチが提供される。
【００２９】
上記フックの他側に金属インサートがさらに設けられてもよい。上記プッシャ部はアクチュエータアーム側に突出されてもよい。
【００３０】
また、上記課題を解決するために、本発明の別の観点によれば、ベースプレートと、ベースプレートに回転可能に設置され、ラッチ部を備えたアクチュエータアームと、アクチュエータアームの一端に設けられたボイスコイルと、ボイスコイルに対向配置されたマグネットアセンブリとを備え、アクチュエータアームを回動させるボイスコイルモータと、ベースプレートに回動可能に設置され、アクチュエータアームのラッチ部と結合してアクチュエータアームをロッキングし、ラッチ部と干渉してアクチュエータアームの一方向回動を阻止する一側に形成されたフックを有するアームと、フックに対してアームの他側に形成されたプッシャ部とを有し、アームの一側にラッチ部の方に突出形成され、ラッチ部と接触しながらラッチの回動量を制限するクラッシュストップ部を有するラッチとを備え、アクチュエータアームのラッチ部がプッシャ部と接触しながら、ラッチはフックがラッチ部をロッキングする方向に回転し、クラッシュストップ部がラッチ部と接触すればラッチの回動が止まって、ラッチがアクチュエータアームをロッキングすることを特徴とするハードディスクドライブが提供される。
【００３１】
上記ラッチ部は第１の金属インサートを備え、マグネットアセンブリに隣接設置されたマグネットを更に備え、情報貯蔵やアクセス作業をしない時、マグネットが第１の金属インサートを引っ張って、アクチュエータアームをパーキング領域に位置させてもよい。
【００３２】
上記ラッチのフックの他側に第２の金属インサートがさらに設けられ、第２の金属インサートがマグネットアセンブリ側に引っ張られるとフックがラッチ部と離隔される方向にラッチが回転して、アクチュエータアームをアンロッキングしてもよい。上記プッシャ部はアクチュエータアーム側に突出されてもよい。
【発明の効果】
【００３３】
本発明によれば、効率的な作動ができる。
【発明を実施するための最良の形態】
【００３４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３５】
まず、本実施形態に係るアクチュエータアームに用いるラッチについて詳細に説明すると、ラッチは、アクチュエータアームのラッチ部に結合可能なキャッチ部を具備する。
【００３６】
また、ラッチはラッチ位置に移動時、アクチュエータアームに結合され、アームからラッチが反動されて離隔されることを防止するプッシャ部とクラッシュストップ部とを具備する。前記プッシャ部及びクラッシュストップ部はディスクドライブ内で別に分離されたクラッシュストップ部の必要性をなくす。このような分離されたクラッシュストップ要素の排除は、ディスクドライブ製造工程の複雑化及びコストを低減する。
【００３７】
次に、図９に参照しながら、本実施形態に係るアクチュエータアームについて説明する。図９は、本実施形態に係るアクチュエータアームを示すＨＤＤ１０の部分図である。
【００３８】
図９に示すように、ＨＤＤ１０は、スピンドルモータ１４により回転する１枚または２以上から成るディスク１２を含む。スピンドルモータ１４は、ベースプレート１６に設けられる。また、ＨＤＤ１０は、ベースプレート１６およびディスク１２を取囲むカバー１８を具備する。
【００３９】
ベースプレート１６にアクチュエータアーム２０が回動自在に設けられている。複数のヘッドジンバルアセンブリ（ＨＧＡ）２２がアクチュエータアーム２０に設けられている。
【００４０】
各ＨＧＡ２２は屈曲ビーム２６に搭載されたジンバルのヘッド２４を含む。屈曲ビーム２６は、アクチュエータアーム２０に設けられる。ヘッド２４は、磁化及び磁場の感知により、ディスクに情報（データ）の記録またはディスクからに情報（データ）の読出しを行う１または２以上のトランスデューサー（図示せず）を含む。
【００４１】
ディスクドライブ（ＨＤＤ）１０は、アクチュエータアーム２０に設けられてマグネットアセンブリ３０と相互作用するボイスコイル２８を含む。ボイスコイル２８及びマグネットアセンブリ３０は、ディスク１２を横切ってヘッド２４を移動させるようにアクチュエータアーム２０を回動させるボイスコイルモータ３２を形成する。ヘッド２４、スピンドルモータ１４、およびボイスコイルモータ３２は、ディスクドライブを作動する電気回路（図示せず）により制御される。
【００４２】
ディスクドライブ（ＨＤＤ）１０が、情報（データ）の書込み処理またはアクセス処理が実行されない場合、ボイスコイルモータ３２は、ヘッド２４がディスク１２から離隔されてベースプレート１６に設けられたランプ３４上に移動するように作動される。
【００４３】
ディスクドライブ１０は、ヘッド２４がランプ３４から離脱されてディスク１２上に移動することを防止するためのラッチ３６を具備する。ラッチ３６は、軸受アセンブリ３８によりベースプレート１６に回動自在に設けられる。
【００４４】
ラッチ３６は、図９及び図１１に示されるように、キャッチ部４２を有するアーム４０と、プッシャ部４４及びクラッシュストップ部４６を含む。キャッチ部４２はアクチュエータアーム２０のラッチ部４８に対応して結合されうる。キャッチ部４２は前記ラッチ部４８の顎（ｂａｒｂ）５２がかかるフック５０を具備する。
【００４５】
図１０に示されたように、ディスクドライブ１０が時計回り方向の回転加速を受ければ、アクチュエータアーム２０及びラッチ３６は逆時計回り方向に回転する。ラッチ部４８は軸受部５４を備えており、軸受部５４はラッチ３６のクラッシュストップ部４６と接触する。
【００４６】
ラッチ部４８は金属インサート５６を含んでおり、金属インサート５６は、クラッシュストップ部４６と隣接して位置したマグネットアセンブリ３０の１以上のマグネット５８により引力を受ける。
【００４７】
金属インサート５６がマグネット５８の引力を受けて、軸受部５４がクラッシュストップ部４６に当接することになる。
【００４８】
クラッシュストップ４６及びプッシャ部４４は、前記ラッチ部４８が飛出したり、前記ラッチ３６がアクチュエータアーム２０から離隔されないように時計回り方向に回転したりすることを防止する。
【００４９】
さらに、アクチュエータアーム２０が逆時計回り方向に回転すれば、顎５２がフック５０にかかり、アクチュエータアーム２０はこれ以上動けない。ラッチ３６の位置及び構造は、フック５０が顎５２と結合される時、ヘッド２４がディスク１２上に存在しないものとする。
【００５０】
ラッチ３６は、金属インサート６０を備えており、金属インサート６０は、回転加速のない状態で前記アクチュエータアーム２０が後続作業のためにディスク上にロードされるように、マグネット６２の引力を受けてラッチアーム４０をラッチ部４８から引き離す。
【００５１】
ディスクドライブ１０が逆時計回り方向に回転している場合、アクチュエータアーム２０及びラッチ３６は時計回り方向に回転し、ラッチ部４８がプッシャ部４４を打つ。アクチュエータアーム２０によってプッシャ部４４が押されることにより、ラッチ３６は逆時計回り方向に回転し、顎５２が再びフック５０にかかる。したがって、このラッチ３６は、クラッシュストップを付加的部品とせずに一体的に備えた両方向性装置を提供する。
【００５２】
従来では、フックおよび時計回り方向移動を制限するクラッシュストップの両方の部品を備える必要があったが、本実施の形態に係るラッチ３６により、クラッシュストップを備える必要がなくなる。
【００５３】
以上説明したように、本実施形態によれば、アクチュエータアームラッチは、クラッシュストップを付加的部品とせず、クラッシュストップの機能を有するラッチ部品を一体的に備えることによって、構造を簡素化しつつ時計回り方向と逆時計回り方向とへの回転加速に対してアクチュエータアームラッチ状態を堅く保てる。したがって、部品数を増やすことなく、ＨＤＤの組立てる生産処理の効率を向上させることができる。
【００５４】
以上、添付図面を参照しながら本発明の好適な実施形態について説明したが、本発明はかかる例に限定されない。当業者であれば、特許請求の範囲に記載された技術的思想の範疇内において各種の変更例または修正例を想定し得ることは明らかであり、それらについても当然に本発明の技術的範囲に属するものと了解される。
【図面の簡単な説明】
【００５５】
【図１】従来における第１のＨＤＤのアクチュエータアームアセンブリを示す部分図である。
【図２】従来における第２のＨＤＤのアクチュエータアームアセンブリを示す部分図である。
【図３】従来における第２のＨＤＤのアクチュエータアームアセンブリを示す部分図である。
【図４】従来における第２のＨＤＤのアクチュエータアームアセンブリを示す部分図である。
【図５】従来における第３のＨＤＤのアクチュエータアームアセンブリを示す部分図である。
【図６】従来における第３のＨＤＤのアクチュエータアームアセンブリを示す部分図である。
【図７】従来における第３のＨＤＤのアクチュエータアームアセンブリを示す部分図である。
【図８】従来における第３のＨＤＤのアクチュエータアームアセンブリを示す部分図である。
【図９】本実施の形態に係るアクチュエータアームとラッチとのアンラッチ状態を示す部分図である。
【図１０】図９のアクチュエータアームとラッチとのラッチ状態を示す部分である。
【図１１】図９のラッチを示す部分斜視図である。
【符号の説明】
【００５６】
１０      ＨＤＤ
１２      ディスク
１４      スピンドルモータ
１６      ベースプレート
１８      カバー
２０      アクチュエータアーム
２２      ヘッドジンバルアセンブリ
２４      ヘッド
２６      屈曲ビーム
２８      ボイスコイル
３０      マグネットアセンブリ
３２      ボイスコイルモータ
３６      ラッチ
４０      ラッチアーム
４６      クラッシュストップ部
４８      ラッチ部
５０      フック
５２      顎
５４      軸受部
５６      金属インサート
５８      マグネット
６０      金属インサート
６２      マグネット
【図１】
2008140542.tif 000003
【図２】
2008140542.tif 000004
【図３】
2008140542.tif 000005
【図４】
2008140542.tif 000006
【図５】
2008140542.tif 000007
【図６】
2008140542.tif 000008
【図７】
2008140542.tif 000009
【図８】
2008140542.tif 000010
【図９】
2008140542.tif 000011
【図１０】
2008140542.tif 000012
【図１１】
2008140542.tif 000013